(57)【要約】【課題】小さな労力でマンホール蓋を引上げて横にずらすことができ作業性を向上させたマンホール蓋開け器を提供するものである。【解決手段】キャスター１６を取付けたキャスター支持板１７の上部に、傾斜したレバー９の先端側を固定し、このレバー９の先端に、Ｔ形状の引上げ突起部１８をキャスター支持板１７から前方に突出して形成し、レバー９の先端側上部に、フック状の引上げ突起部２１を回動自在に取付け、前記レバー９の後端に、こじ開け部３を形成して、前記Ｔ形状またはフック状の引上げ突起部１８、２３をマンホール蓋６Ａ、６Ｂに形成した引上げ孔７Ａ、７Ｂに挿入して、レバー９を押し下げることによりキャスター１６を回動支点として、テコの作用によりマンホール蓋６Ａ、６Ｂを持ち上げるようにしたものである。【選択図】  図６
2006161423.tif 000002
【特許請求の範囲】
【請求項１】
キャスターを取付けたキャスター支持板の上部に、レバーの先端側を固定し、このレバーの先端に、Ｔ形状またはフック状の引上げ突起部をキャスター支持板から前方に突出して形成すると共に、前記レバーの後端に、こじ開け部を形成して、前記引上げ突起部をマンホール蓋に形成した引上げ孔に挿入して、レバーを押し下げることによりキャスターを回動支点として、テコの作用によりマンホール蓋を持ち上げるようにしたことを特徴とするマンホール蓋開け器。
【請求項２】
キャスターを取付けたキャスター支持板の上部に、レバーの先端側を固定し、このレバーの先端に、Ｔ形状の引上げ突起部をキャスター支持板から前方に突出して形成し、レバーの先端側上部に、フック状の引上げ突起部を回動自在に取付け、前記レバーの後端に、こじ開け部を形成して、前記Ｔ形状またはフック状の引上げ突起部をマンホール蓋に形成した引上げ孔に挿入して、レバーを押し下げることによりキャスターを回動支点として、テコの作用によりマンホール蓋を持ち上げるようにしたことを特徴とするマンホール蓋開け器。
【請求項３】
キャスターを取付けたキャスター支持板の上部に、レバーの先端側を固定し、このレバーの先端に、アームを斜め上方に突設し、このアームの先端側にＴ形状の引上げ突起部とフック状の引上げ突起部をそれぞれ回動自在に取付け、前記レバーの後端に、こじ開け部を形成して、前記Ｔ形状またはフック状の引上げ突起部をマンホール蓋に形成した引上げ孔に挿入して、レバーを押し下げることによりキャスターを回動支点として、テコの作用によりマンホール蓋を持ち上げるようにしたことを特徴とするマンホール蓋開け器。
【発明の詳細な説明】
【技術分野】
【０００１】
本発明は、マンホール蓋開け器の改良に関するものである。
【背景技術】
【０００２】
地下に埋設した下水道を定期点検する時には、マンホール蓋を開けてここからマンホール内に入って、下水道の点検を行なっている。このマンホール蓋を開ける場合、従来はシャフトの下端にフックを取付けた開閉治具（特許文献１）や図１０に示すように、シャフト１の下端にＴ形状の引上げ突起部２を形成し、後端に切頭角錐状のこじ開け部３を形成し、中間にハンドル４を十字状に取付けたマンホール蓋開け器５が用いられていた。
【０００３】
マンホール蓋６Ａは、鋳物で円板状に形成され、この外周に平面Ｕ形状をなす１個の引上げ孔７Ａと平面Ｕ形状をなす２個の引き起こし孔８、８が１２０度間隔で形成されている。平面Ｕ形状をなす引上げ孔７Ａの内側には、図１１に示すように鈎形のストッパー１０が回動自在に取付けられ、リング状の外枠１１の内側に形成された係止部１２に係合して、外れて浮き上がらないようになっている。
【０００４】
このマンホール蓋開け器５を使用してマンホール蓋６を開ける場合、先ずマンホール蓋開け器５を反転させて、こじ開け部３を周囲の２カ所の引き起こし孔８、８に差し込んでマンホール蓋６を少し浮かせるように引き起こして、リング状の外枠１１とマンホール蓋６との間に詰まった土砂を落とす。
【０００５】
次に図１１に示すように、Ｔ形状の引上げ突起部２を引上げ孔７Ａに差し込むと、ここに取付けられたストッパー１０が押されて回動し、図１２に示すようにストッパー１０が係止部１２から外れる。この後、レバー９を９０度横に回転させると引上げ孔７Ａの横の底面にＴ形状の引上げ突起部２が係合した状態となる。次にハンドル４を両手で持ってマンホール蓋６をリング状の外枠１１から引上げ、次いで横にずらして取外している。
【０００６】
しかしながら従来のマンホール蓋開け器５では、ハンドル４を両手で持って重いマンホール蓋６を引上げるため、大きな労力が必要で作業性が悪く、その軽減が望まれていた。
【特許文献１】特開２００２−１３８５０４
【発明の開示】
【発明が解決しようとする課題】
【０００７】
本発明は上記問題を改善し、小さな労力でマンホール蓋を引上げて横にずらすことができ作業性を向上させたマンホール蓋開け器を提供するものである。
【課題を解決するための手段】
【０００８】
本発明の請求項１記載のマンホール蓋開け器は、キャスターを取付けたキャスター支持板の上部に、レバーの先端側を固定し、このレバーの先端に、Ｔ形状またはフック状の引上げ突起部をキャスター支持板から前方に突出して形成すると共に、前記レバーの後端に、こじ開け部を形成して、前記引上げ突起部をマンホール蓋に形成した引上げ孔に挿入して、レバーを押し下げることによりキャスターを回動支点として、テコの作用によりマンホール蓋を持ち上げるようにしたことを特徴とするものである。
【０００９】
本発明の請求項２記載のマンホール蓋開け器は、キャスターを取付けたキャスター支持板の上部に、レバーの先端側を固定し、このレバーの先端に、Ｔ形状の引上げ突起部をキャスター支持板から前方に突出して形成し、レバーの先端側上部に、フック状の引上げ突起部を回動自在に取付け、前記レバーの後端に、こじ開け部を形成して、前記Ｔ形状またはフック状の引上げ突起部をマンホール蓋に形成した引上げ孔に挿入して、レバーを押し下げることによりキャスターを回動支点として、テコの作用によりマンホール蓋を持ち上げるようにしたことを特徴とするものである。
【００１０】
本発明の請求項３記載のマンホール蓋開け器は、キャスターを取付けたキャスター支持板の上部に、レバーの先端側を固定し、このレバーの先端に、アームを斜め上方に突設し、このアームの先端側にＴ形状の引上げ突起部とフック状の引上げ突起部をそれぞれ回動自在に取付け、前記レバーの後端に、こじ開け部を形成して、前記Ｔ形状またはフック状の引上げ突起部をマンホール蓋に形成した引上げ孔に挿入して、レバーを押し下げることによりキャスターを回動支点として、テコの作用によりマンホール蓋を持ち上げるようにしたことを特徴とするものである。
【発明の効果】
【００１１】
本発明に係る請求項１記載のマンホール蓋開け器によれば、引上げ突起部をマンホール蓋に形成した引上げ孔に挿入して、レバーを押し下げることによりキャスターを回動支点として、テコの作用により僅かな力でマンホール蓋を引き上げることができ、更にレバーを横方向に引っ張ると、キャスターによりマンホール蓋を横方向にずらして外枠から容易に外すことができる。
【００１２】
また請求項２記載のマンホール蓋開け器によれば、Ｔ形状の引上げ突起部と、この上にフック状の引上げ突起部を回動自在に取付け、マンホール蓋の引上げ孔の構造に応じて選択できるので、１台で２種類のマンホール蓋を開けることができる。
【００１３】
また請求項３記載のマンホール蓋開け器によれば、レバーの先端にアームを斜め上方に突設し、このアームにＴ形状の引上げ突起部とフック状の引上げ突起部をそれぞれ回動自在に取付け、マンホール蓋の引上げ孔の構造に応じて選択できるので、１台で２種類のマンホール蓋を開けることができると共に、アームにより高く引き上げられるので横方向への引き出しが容易である。
【発明を実施するための最良の形態】
【００１４】
以下本発明の実施の一形態を図１ないし図３を参照して詳細に説明する。図１において１５はマンホール蓋開け器を示すもので、これは２個のキャスター１６を取付けたキャスター支持板１７の上部に、傾斜したレバー９の先端側を固定し、このレバー９の先端側のキャスター支持板１７から前方に突出した部分にブロック状の支持突起１９を下方に向かって突設すると共に、この前方にＴ形状の引上げ突起部１８を形成し、前記レバー９の後端に切頭角錐状のこじ開け部３を形成し、更にレバー９の中間にハンドル４を十字状に取付けたものである。
【００１５】
上記構成のマンホール蓋開け器１５の使用方法について説明すると、先ずマンホール蓋開け器１５を反転させて、図１０に示すマンホール蓋６Ａの周囲の２か所の引き起こし孔８、８にこじ開け部３を差し込んでマンホール蓋６Ａを浮かせるように少し引き起こして、リング状の外枠１１とマンホール蓋６Ａとの間に詰まった土砂を落とす。
【００１６】
次に図１１に示すようにＴ形状の引上げ突起部２を引上げ孔７Ａに差し込むと、ここに取付けられたストッパー１０が押されて回動し、図１２に示すようにストッパー１０が係止部１２から外れる。この後、図２に示すように、マンホール蓋開け器１５を９０度横に回転させると引上げ孔７Ａの横の底面に、Ｔ形状の引上げ突起部１８が係合し、支持突起１９が路面２０に接触する。
【００１７】
次にレバー９を押し下げると、支持突起１９が支点となって、マンホール蓋６がテコの作用により僅かな力で少し引き上げられる。更にレバー９を押し下げると、今度は図３に示すようにキャスター１６が路面２０に接地して、支持突起１９が離れ、このキャスター１６が支点となって、テコの作用により僅かな力でマンホール蓋６Ａが引き上げられる。この後、レバー９を横方向に引っ張ると、キャスター１６により容易に横方向にずれてマンホール蓋６Ａを外枠１１から外すことができる。
【００１８】
なお上記説明では支持突起１９を取付けた場合について示したが、キャスター１６が支点となるので支持突起１９がない構造でも引きあげることができる。支持突起１９があると、最も大きな力が必要とされる最初の引き上げ時に、支点から作用点までの距離と、支点から力点までの距離の比率、すなわちテコ比が大きくなり僅かな力で引き上げられるので作業が更に容易となる。
【００１９】
図４および図５は本発明の他の実施の形態を示すもので、これは２個のキャスター１６を取付けたキャスター支持板１７の上部に、傾斜したレバー９の先端側を固定し、このレバー９の先端側のキャスター支持板１７から前方に突出した部分にフック状の引上げ突起部２１を設け、前記レバー９の後端に切頭角錐状のこじ開け部３を形成し、更にレバー９の中間にハンドル４を十字状に取付けたものである。
【００２０】
上記構成のマンホール蓋開け器１５は、図５に示すように引上げ孔７Ｂが断面Ｕ形に形成され、この下部にＬ形のストッパー１０を一体に形成し、これがリング状の外枠１１の内側に設けたＬ形の係止部１２に係合した構造のマンホール蓋６Ｂを外す場合に使用するものである。
【００２１】
次に上記構成のマンホール蓋開け器１５の使用方法について説明すると、フック状の引上げ突起部２１を、マンホール蓋開け器１５の断面Ｕ形に形成された引上げ孔７Ｂに挿入して、レバー９を下げるとキャスター１６が路面２０に接地して、このキャスター１６が支点となって、テコの作用により小さな力でマンホール蓋６Ｂが引き上げられる。この後、ハンドル４を持ってレバー９を横方向に引っ張ると、キャスター１６により容易に横方向にずれてマンホール蓋６Ｂを外枠１１から外すことができる。
【００２２】
図６および図７は本発明の他の実施の形態を示すもので、これは２個のキャスター１６を取付けたキャスター支持板１７の上部に、傾斜したレバー９の先端側を固定し、レバー９の先端に、Ｔ形状の引上げ突起部１８をキャスター支持板１７から前方に突出して形成し、更にレバー９の先端側上部に、フック状の引上げ突起部２１を支持軸２２で回動自在に取付けたものである。
【００２３】
図６に示す状態では図２および図３に示すように、Ｔ形状の引上げ突起部１８をマンホール蓋６Ａの平面Ｕ形の引上げ孔７Ａに差し込んでから、マンホール蓋開け器１５を９０度横に回転させ、レバー９を押し下げると、キャスター１６が支点となって、マンホール蓋６Ａをテコの作用により小さな力で引き上げることができる。
【００２４】
またマンホール蓋６Ｂを開ける時には、図７に示すフック状の引上げ突起部２１を前方に回動させて、Ｔ形状の引上げ突起部１８の前方に突出させた状態にする。この状態にして図５と同様に、フック状の引上げ突起部２１をマンホール蓋６Ｂの断面Ｕ形に形成された引上げ孔７Ｂに挿入して、レバー９を下げることによりこのキャスター１６が支点となって、テコの作用により小さな力でマンホール蓋６Ｂを引き上げることができる。従って１台のマンホール蓋開け器１５で２種類のマンホール蓋６Ａ、６Ｂを開けることができる。
【００２５】
図８および図９は本発明の他の実施の形態を示すもので、これは２個のキャスター１６を取付けたキャスター支持板１７の上部に、傾斜したレバー９の先端側を固定し、このレバー９の先端に、アーム２３を斜め上方に突設し、このアーム２３の先端側にＴ形状の引上げ突起部１８と、更にこの上方にフック状の引上げ突起部２１を支持軸２２で回動自在に支持したものである。
【００２６】
またマンホール蓋６Ａを開ける時には、図８に示す状態にして、アーム２３に吊下げられているＴ形状の引上げ突起部１８を図２および図３に示すように、マンホール蓋６Ａの平面Ｕ形の引上げ孔７Ａに手で差し込んでから、マンホール蓋開け器１５を９０度横に回転させて、次いでレバー９を押し下げると、キャスター１６が支点となって、マンホール蓋６Ａをテコの作用により小さな力で高く引き上げることができる。
【００２７】
またマンホール蓋６Ｂを開ける時には、図９に示すようにフック状の引上げ突起部２１を前方に回動させて、Ｔ形状の引上げ突起部１８の前方に吊下げた状態にする。次に、フック状の引上げ突起部２１を手で持ってマンホール蓋６Ｂの断面Ｕ形に形成された引上げ孔７Ｂに挿入してから、レバー９を下げることによりこのキャスター１６が支点となって、テコの作用により小さな力でマンホール蓋６Ｂを高く引き上げることができ、更にキャスター１６により横方向に引出すのが容易である。従って１台のマンホール蓋開け器１５で２種類のマンホール蓋６Ａ、６Ｂを開けることができると共に、アーム２３により高く引き上げられるので横方向への引き出しが容易となる。
【００２８】
なお上記説明ではレバー９をキャスター支持板１７に傾斜して取付け、テコの作用により体重をかけてマンホール蓋６Ａ、６Ｂを引き上げ易くした構造について示したが、レバー９をキャスター支持板１７にほぼ水平に取付けた構造でも良い。またキャスター１６は２個に限らず１個でも良い。更にキャスター１６は一方向に固定したものに限らず、回動する構造でも良く、またボール状に任意の方向に回転できるものを用いても良い。
【産業上の利用可能性】
【００２９】
なお上記説明では下水道のマンホール蓋を開ける場合について示したが、地中に埋設した電力ケーブルや通信ケーブルのマンホール蓋や、雨水用の桝に取付けた蓋を開ける場合など広く使用することができる。
【図面の簡単な説明】
【００３０】
【図１】本発明の実施の一形態によるマンホール蓋開け器の斜視図である。
【図２】図１のマンホール蓋開け器のＴ形状の引上げ突起部を、マンホール蓋の引上げ孔に挿入した状態を示す断面図である。
【図３】レバーを押し下げてマンホール蓋を引上げている状態を示す断面図である。
【図４】本発明の他の実施の形態によるマンホール蓋開け器の斜視図である。
【図５】図４のマンホール蓋開け器のフック状の引上げ突起部を、マンホール蓋の引上げ孔に挿入した状態を示す断面図である。
【図６】本発明の他の実施の形態によるマンホール蓋開け器の斜視図である。
【図７】図６に示すフック状の引上げ突起部を使用する場合のマンホール蓋開け器の斜視図である。
【図８】本発明の他の実施の形態によるマンホール蓋開け器の側面図である。
【図９】図８に示すフック状の引上げ突起部を使用する場合のマンホール蓋開け器の側面図である。
【図１０】従来のマンホール蓋開け器を示す斜視図である。
【図１１】従来のマンホール蓋開け器をマンホール蓋の引上げ孔に挿入する状態を示す断面図である。
【図１２】図１１のマンホール蓋開け器をマンホール蓋の引上げ孔に挿入してロックを解除した状態を示す断面図である。
【符号の説明】
【００３１】
１    シャフト                                              
２    Ｔ形状の引上げ突起部                                  
３    こじ開け部                                            
４    ハンドル                                              
５    マンホール蓋開け器                                    
６Ａ、６Ｂ  マンホール蓋                                    
７Ａ、７Ｂ  引上げ孔                                        
８    引き起こし孔                                          
９    レバー                                                
１０  ストッパー                                            
１１  リング状の外枠                                        
１２  係止部                                                
１５  マンホール蓋開け器                                    
１６  キャスター                                            
１７  キャスター支持板                                      
１８  Ｔ形状の引上げ突起部                                  
１９  支持突起                                              
２０  路面                                                  
２１  フック状の引上げ突起部                                
２２  支持軸                                                
２３  アーム  
【図１】
2006161423.tif 000003
【図２】
2006161423.tif 000004
【図３】
2006161423.tif 000005
【図４】
2006161423.tif 000006
【図５】
2006161423.tif 000007
【図６】
2006161423.tif 000008
【図７】
2006161423.tif 000009
【図８】
2006161423.tif 000010
【図９】
2006161423.tif 000011
【図１０】
2006161423.tif 000012
【図１１】
2006161423.tif 000013
【図１２】
2006161423.tif 000014